(57)【要約】【課題】  水洗いによる地絡事故を確実に防止する。【解決手段】  ブッシング１０１を洗浄するために圧力水Ｗを噴射する方向を洗浄方向とし、洗浄方向以外の方向を非洗浄方向とし、圧力水Ｗを噴射する噴射口２０を有するノズル２と、圧力水Ｗが供給されない状態では、ノズル２を非洗浄方向に向けて支持し、圧力水Ｗが供給されるに伴って、ノズル２を洗浄方向に向けていく制御シリンダ３と、を備える。【選択図】  図１
2011222254.tif 000002
【特許請求の範囲】
【請求項１】
加圧された水である圧力水を碍子に噴射することで、前記碍子を洗浄する碍子洗浄装置であって、
前記碍子を洗浄するために前記圧力水を噴射する方向を洗浄方向とし、前記洗浄方向以外の方向を非洗浄方向とし、
前記圧力水を噴射する噴射口を有するノズルと、
前記圧力水が供給されない状態では、前記ノズルを前記非洗浄方向に向けて支持し、前記圧力水が供給されるに伴って、前記ノズルを前記洗浄方向に向けていく方向制御手段と、
を備えることを特徴とする碍子洗浄装置。
【請求項２】
前記圧力水が供給されない状態では、少なくとも前記ノズルの噴射口を覆い、前記圧力水が供給されることで前記覆いを解除する開閉手段を備える、
ことを特徴とする請求項１に記載の碍子洗浄装置。
【発明の詳細な説明】
【技術分野】
【０００１】
この発明は、無停電で碍子を水洗する碍子洗浄装置に関する。
【背景技術】
【０００２】
沿岸地域で塩害の影響を受けやすい発変電所などでは、開閉装置のブッシング（碍子）に塩水や塵埃が付着することにより、地絡事故（絶縁不良事故）が発生するおそれがある。このため、台風が通過した後などに、無停電（活線状態）でブッシングを水洗いする活線碍子水洗が行われている。具体的には、図６に示すように、開閉装置１００のブッシング１０１の充電部１０１ａに向けて、ノズル１１０が設置され、加圧した水Ｗをノズル１１０から噴射することで、ブッシング１０１の充電部１０１ａなどを洗浄するものである。さらに、この活線碍子水洗は、電力施設の稼動を停止せずに行うため、碍子に噴射する水の固有抵抗を測定するなど、水質管理を十分に行うことで、地絡事故の発生を防止している。
【０００３】
また、碍子の外面の汚損状態を判定する汚損状態判定装置から散水装置へ、碍子の洗浄を指示し、散水装置に設けられたノズルから洗浄水を碍子に噴射する洗浄装置が知られている（例えば、特許文献１参照。）。
【先行技術文献】
【特許文献】
【０００４】
【特許文献１】特開平１１−３５３９６４号公報
【発明の概要】
【発明が解決しようとする課題】
【０００５】
ところで、活線碍子水洗は、台風が通過した後などに行われ、長期間行わない場合があり、長期間放置されることで、ノズルの先端に塩や塵埃が堆積する。このため、碍子を洗浄する水の水質を厳重に管理しても、ノズルから噴射される水には、塩や塵埃が混入してしまう。一方、図６に示す活線碍子水洗装置や特許文献１の洗浄装置では、ノズルが碍子に向けて固定されているため、洗浄開始当初に、塩や塵埃が混入した水が碍子に噴射されてしまい、地絡事故を誘引するおそれがある。また、洗浄開始時から急に充電部１０１ａに水が噴射されることで、塩分濃度が高い水がブッシング１０１の表面に垂れ落ち、地絡事故を誘引するおそれがある。
【０００６】
そこで本発明は、水洗いによる地絡事故を確実に防止することが可能な碍子洗浄装置を提供することを目的とする。
【課題を解決するための手段】
【０００７】
上記目的を達成するために請求項１に記載の発明は、加圧された水である圧力水を碍子に噴射することで、前記碍子を洗浄する碍子洗浄装置であって、前記碍子を洗浄するために前記圧力水を噴射する方向を洗浄方向とし、前記洗浄方向以外の方向を非洗浄方向とし、前記圧力水を噴射する噴射口を有するノズルと、前記圧力水が供給されない状態では、前記ノズルを前記非洗浄方向に向けて支持し、前記圧力水が供給されるに伴って、前記ノズルを前記洗浄方向に向けていく方向制御手段と、を備えることを特徴とする碍子洗浄装置である。
【０００８】
この発明によれば、圧力水が供給されない状態では、方向制御手段によってノズルが非洗浄方向に向き、ノズルと方向制御手段に圧力水が供給されると、ノズルの噴射口から圧力水が噴射されるとともに、方向制御手段によってノズルが徐々に洗浄方向に向いていく。
【０００９】
請求項２に記載の発明は、請求項１に記載の碍子洗浄装置において、前記圧力水が供給されない状態では、少なくとも前記ノズルの噴射口を覆い、前記圧力水が供給されることで前記覆いを解除する開閉手段を備えることを特徴とする。
【００１０】
この発明によれば、圧力水が供給されない状態では、開閉手段によってノズルの噴射口が覆われ、ノズルと開閉手段に圧力水が供給されると、開閉手段によってノズルの噴射口の覆いが解除され、ノズルの噴射口から圧力水が噴射される。
【発明の効果】
【００１１】
請求項１に記載の発明によれば、圧力水を噴射しながら、ノズルが徐々に非洗浄方向から洗浄方向に向うため、ノズルに塩や塵埃が付着していたとしても、洗浄方向に向くまでの間に、塩や塵埃を含む水が噴射、排出される。このため、塩や塵埃を含む水が、洗浄方向、つまり碍子洗浄のために圧力水を噴射すべき方向に噴射されることがなく、清浄な水により碍子が洗浄され、水洗いによる地絡事故を確実に防止することが可能となる。しかも、ノズルの向きを制御する方向制御手段の動力源が圧力水であり、電力などの他の動力を要しないため、電気などが供給できない場所や場合においても、ノズルの向きを制御することが可能となる。
【００１２】
請求項２に記載の発明によれば、碍子の洗浄作業を行わないときは、ノズルの噴射口が開閉手段で覆われるため、ノズルの噴射口に塩や塵埃などが付着せず、清浄な水だけを碍子に噴射することが可能となる。しかも、ノズルの噴射口の覆いを解除する開閉手段の動力源が圧力水であり、電力などの他の動力を要しないため、電気などが供給できない場所や場合においても、碍子の洗浄作業を行うことが可能となる。
【図面の簡単な説明】
【００１３】
【図１】本発明の実施の形態に係わる碍子洗浄装置を示す正面図である。
【図２】図１の碍子洗浄装置で碍子を洗浄している状態を示す概観図である。
【図３】図１の碍子洗浄装置の洗浄開始当初の状態を示す正面図である。
【図４】図１の碍子洗浄装置の洗浄開始前の状態を示す正面図である。
【図５】図１の碍子洗浄装置で碍子以外に向けて圧力水を噴射している状態を示す概観図である。
【図６】従来の活線碍子水洗を示す概観図である。
【発明を実施するための形態】
【００１４】
次に、この発明の実施の形態について、図面を用いて詳しく説明する。
【００１５】
図１ないし図５は、この実施の形態を示している。図２は、碍子洗浄装置１が碍子２００に圧力水Ｗを噴射して洗浄している状態を示しており、この実施の形態では、開閉装置１００の上方に突出したブッシング（碍子）１０１を洗浄対象とする。
【００１６】
この実施の形態に係る碍子洗浄装置１は、開閉装置１００に設けられた設置台１０２に設置され、図１に示すように、主として、ノズル２と、制御シリンダ（方向制御手段）３と、開閉体（開閉手段）４とを備えている。
【００１７】
ノズル２は、耐腐食性が高い材料、例えばステンレス鋼で構成され、噴射部２１と、筒体部２２とを備えている。噴射部２１は、円錐台状で複数の噴射口２０が形成され、ノズル２に供給された圧力水Ｗを外部に向けて放射状に噴射可能となっている。
【００１８】
筒体部２２は、円筒状で噴射部２１と一体的に形成され、筒内に装着された連結管５１に対して、軸方向にスライド自在に配設されている。このような筒体部２２と連結管５１とは、ノズルケース５０内に収容され、ノズルケース５０内には、一端部が筒体部２２の他端部（反噴射部２１部）に係合されたスライド用バネ５２が配設されている。そして、このスライド用バネ５２により、筒体部２２が常に連結管５１に押圧・付勢されている。
【００１９】
また、連結管５１には、屈曲自在な高圧ゴムホース６０の一端部が接続され、高圧ゴムホース６０の他端部は、母管８０に接続されている。さらに、母管８０は、図示しないポンプを介して水タンクに接続され、ポンプの起動によって、水タンク内の水が、圧力水Ｗとして母管８０に供給されるようになっている。そして、母管８０に供給された圧力水Ｗが、高圧ゴムホース６０を介して連結管５１に圧送され、スライド用バネ５２の力に抗して、ノズル２が開閉体４側にスライドするようになっている。なお、母管８０には、母管８０内の水を排出するための排水弁（逆止弁）８１が設けられている。
【００２０】
制御シリンダ３は、円筒状で、ピストン３１が軸方向に往復動自在に配設され、ピストン３１の下面側には、ピストン３１を上方向に押圧・付勢する圧縮バネ３２が配設されている。また、制御シリンダ３の上部には、取水ポート３３と排出弁（逆止弁）３４とが設けられ、取水ポート３３には、給水ホース９０を介して母管８０が接続されている。ここで、給水ホース９０には、制御シリンダ３への圧力水Ｗの流量を制御するオリフィス９１が配設されている。
【００２１】
一方、ノズルケース５０の開閉体４側には、下方に突出した第１の支持部５０ａが形成され、この第１の支持部５０ａが、設置台１０２に設置された支持台７０に対して回動自在に支持されている。さらに、ノズルケース５０の反開閉体４側には、下方に突出しスライド孔５０ｃを有する第２の支持部５０ｂが形成され、ピストン３１の先端に設けられたスライドピン３５が、スライド自在にスライド孔５０ｃに装着されている。
【００２２】
そして、制御シリンダ３に圧力水Ｗが供給されない状態では、図４に示すように、圧縮バネ３２によってピストン３１が押し上げられて上死点に位置し、ノズルケース５０の第２の支持部５０ｂ側が押し上げられ、ノズル２が下方に向いた状態となる。ここで、ブッシング１０１を洗浄するために圧力水Wを噴射すべき方向、具体的には充電部１０１ａに向く方向を洗浄方向（目的の方向）、洗浄方向以外の方向を非洗浄方向とし、図４の状態では、ノズル２が非洗浄方向に向いている。また、制御シリンダ３に圧力水Ｗが供給されていくと、圧縮バネ３２の力に抗してピストン３１が押し下げられ、第１の支持部５０ａを中心にしてノズルケース５０が回動し、ノズルケース５０の開閉体４側が上方に向いていく。そして、ピストン３１が下死点に達すると、図１に示すように、ノズルケース５０の開閉体４側が斜め上方を向き、この向きが洗浄方向に設定されている。
【００２３】
開閉体４は、ノズル２に圧力水Ｗが供給されない状態では、ノズル２の噴射口２０を覆い、圧力水Ｗが供給されることでその覆いを解除するものであり、開閉カバー４０、４１と、開閉バネ４２とを備えている。
【００２４】
開閉カバー４０、４１は、耐腐食性が高い材料、例えばステンレス鋼で構成され、ともに略半球形で、その基部４０ａ、４１ａを中心に回動自在に、ノズルケース５０に取り付けられている。このような開閉カバー４０、４１の自由端部（反基部４０ａ、４１ａ）側を連結するように、圧縮コイルバネである開閉バネ４２が取り付けられ、ノズル２に圧力水Ｗが供給されない状態では、開閉バネ４２によって開閉カバー４０、４１が閉じ、ノズル２の先端部（噴射口２０）がカバーされる。また、ノズル２に圧力水Ｗが供給されて、上記のようにノズル２が開閉体４側にスライドすると、開閉カバー４０、４１の内面４０ｂ、４１ｂが押され、開閉バネ４２の力に抗して開閉カバー４０、４１が開き、ノズル２の先端部が開放されるようになっている。
【００２５】
次に、このような構成の碍子洗浄装置１の作用について説明する。
【００２６】
まず、ブッシング１０１の洗浄を行わない待機状態では、母管８０には圧力水Wが供給されず、図４に示すように、圧縮バネ３２によってピストン３１が押し上げられ、ノズル２が下方に向いている。さらに、開閉バネ４２によって開閉カバー４０、４１が閉じ、ノズル２の先端部がカバーされており、これにより、長時間経過しても、ノズル２の先端部に塩や塵埃などが付着しないようになっている。
【００２７】
次に、台風が通過した後に、あるいは定期的に、ブッシング１０１を洗浄する場合には、まず、ポンプを起動して、水タンク内の水を圧力水Ｗとして母管８０に供給する。これにより、圧力水Ｗが高圧ゴムホース６０を介して連結管５１に圧送され、図３に示すように、ノズル２が開閉体４側にスライドし、開閉カバー４０、４１が開いて、ノズル２の先端部が開放される。そして、ノズル２の噴射口２０から、圧力水Ｗの噴射が開始される。このとき、図５に示すように、圧力水Ｗは、下向きつまりブッシング１０１の根元側に向けて噴射される。
【００２８】
続いて、圧力水Ｗが母管８０に供給されると、ピストン３１が押し下げられ、ノズルケース５０が回動して、ノズル２の先端部が上方、つまりブッシング１０１の充電部１０１ａ側に向いていく。このように、噴射口２０から圧力水Ｗを噴射しながら、ブッシング１０１の根元側から充電部１０１ａ側に、ノズル２の向きが徐々に変わっていく。そして、ピストン３１が下死点に達した時点で、図１、２に示すように、ノズル２の先端部がブッシング１０１の充電部１０１ａに向き、充電部１０１ａに圧力水Ｗが集中的に噴射される状態となる。
【００２９】
このような洗浄を所定時間行うことで、充電部１０１ａを含むブッシング１０１に付着した塩や塵埃などが洗い落とされる。そして、洗浄終了後に、ポンプを停止することで、圧力水Ｗの圧力が下がり、母管８０内の水が排水弁８１から排出されるとともに、圧縮バネ３２によってピストン３１が押し上げられて、制御シリンダ３内の水が排出弁３４から排出される。これにより、連結管５１への圧力水Ｗの供給が停止し、スライド用バネ５２によってノズル２が反開閉体４側に後退して、開閉バネ４２によって開閉カバー４０、４１が閉じる。また、ピストン３１の上昇に伴って、第１の支持部５０ａを中心にしてノズルケース５０が回動し、ピストン３１が上死点に達した時点で、ノズルケース５０の開閉体４側、つまりノズル２の先端部が下方に向く。すなわち、上記の待機状態に戻るものである。
【００３０】
以上のように、この碍子洗浄装置１によれば、圧力水Wを噴射しながら、ノズル２を徐々に目的の方向に向けていくため、ノズル２に塩や塵埃などが付着していたとしても、目的の方向に向くまでの間に、塩や塵埃などを含む水が噴射、排出される。このため、塩や塵埃などを含む水が、目的の方向に噴射されることがなく、清浄な水によりブッシング１０１が洗浄され、水洗いによる地絡事故を確実に防止することが可能となる。しかも、ブッシング１０１の根元側から充電部１０１ａ側に向けて、ノズル２の向きを変えていくため、急に充電部１０１ａ側に向けて噴射することで、塩分濃度が高い水がブッシング１０１の表面に垂れ落ちて地絡事故を誘引する、ということもない。
【００３１】
さらに、ブッシング１０１の洗浄作業を行わないときは、ノズル２の先端部が開閉カバー４０、４１で覆われるため、ノズル２の先端部に塩や塵埃などが付着せず、清浄な水だけをブッシング１０１に噴射し、より確実に地絡事故を防止することが可能となる。また、ノズル２の向きの変更や、開閉カバー４０、４１の開閉は、ともに圧力水Ｗを動力源とするため、電力などの他の動力を要せず、電気などが供給できない場所や場合においても、適正にブッシング１０１の洗浄を行うことが可能となる。
【００３２】
以上、この発明の実施の形態を詳述してきたが、具体的な構成は上記の実施の形態に限られるものではなく、この発明の要旨を逸脱しない範囲の設計の変更等があっても、この発明に含まれる。例えば、上記の実施の形態では、制御シリンダ３のピストン３１の往復動によってノズル２の向きを制御しているが、揺動シリンダによってノズル２の向きを変えるようにしてもよい。また、ノズル２を下向きから上向きへ上下方向に変える構成としているが、水平方向・横方向にノズル２の向きを変える構成としてもよい。さらに、圧力水Ｗを駆動源とするアクチュエータ（ピストン・シリンダなど）で、開閉カバー４０、４１を開閉する構成としてもよい。
【符号の説明】
【００３３】
１                碍子洗浄装置
２                ノズル
２０              噴射口
３                制御シリンダ（方向制御手段）
３１              ピストン
３２              圧縮バネ
４                開閉体（開閉手段）
４０、４１        開閉カバー
４２              開閉バネ
５０              ノズルケース
５１              連結管
５２              スライド用バネ
８０              母管
１００            開閉装置
１０１            ブッシング（碍子）
Ｗ                圧力水
【図１】
2011222254.tif 000003
【図２】
2011222254.tif 000004
【図３】
2011222254.tif 000005
【図４】
2011222254.tif 000006
【図５】
2011222254.tif 000007
【図６】
2011222254.tif 000008